【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
地図データを格納する地図データ格納部と、
車両の現在地を取得する現在地取得部と、
目的地を受け付ける目的地受付部と、
前記地図データを用いて、前記現在地から前記目的地までの経路を探索する経路探索部と、
前記経路を示す経路情報を出力する出力部と、
前記車両に搭載された動力電池の蓄電力量を算出する蓄電力量算出部と、
前記蓄電力量によって前記経路から到達が可能な位置に存在し、前記動力電池が充電可能な充電スタンドを検出する充電スタンド検出部と、
を備え、
前記出力部は、前記充電スタンド検出部が検出した前記充電スタンドを示す充電スタンド情報を出力することを特徴とした車載装置。
【請求項２】
前記車両が前記目的地に到達するために必要な必要電力量を算出し、かつ前記必要電力量と前記蓄電力量との大小関係を判定する電力量判定部をさらに備え、
前記出力部は、前記必要電力量が前記蓄電力量より大きいまたは同じであると前記電力量判定部が判定した場合に、前記充電スタンド情報を出力する、請求項１に記載の車載装置。
【請求項３】
１または２以上のＰＯＩ（Ｐｏｉｎｔ ｏｆ Ｉｎｔｅｒｅｓｔ）情報を格納したＰＯＩ情報格納部と、
前記充電スタンドから所定の条件を満たす位置に存在する前記ＰＯＩ情報を検出するＰＯＩ情報検出部とをさらに備え、
前記出力部は、前記充電スタンド情報と共に、前記ＰＯＩ情報も出力する、請求項１または請求項２に記載の車載装置。
【請求項４】
前記ＰＯＩ情報には、滞在時間に関する滞在時間情報が付随しており、
前記ＰＯＩ情報検出部は、前記動力電池を充電するのにかかる充電時間と前記滞在時間情報をもとに前記ＰＯＩ情報を検出する、請求項３に記載の車載装置。
【請求項５】
前記車両が前記動力電池の蓄電力を前記充電スタンドに提供した場合に獲得可能な特典を示す特典情報を取得する特典情報取得部をさらに具備し、
前記出力部は、前記特典情報も出力する、請求項２に記載の車載装置。
【請求項６】
前記出力部は、前記必要電力量が前記蓄電力量より小さいまたは同じであると前記電力量判定部が判定した場合に、前記充電スタンド情報と共に、前記特典情報も出力する、請求項５に記載の車載装置。
【請求項７】
イベントを受け付けるイベント受付部をさらに備え、
前記充電スタンド検出部は、複数種類の前記充電スタンドのうち、前記イベントの所要時間内に前記動力電池の充電を完了可能な種類の前記充電スタンドを検出する、請求項１に記載の車載装置。
【請求項８】
車両に搭載される車載装置が提供する情報提供方法であって、
前記車両の現在地を取得する現在地取得ステップと、
目的地を受け付ける目的地受付ステップと、
地図データを用いて、前記現在地から前記目的地までの経路を探索する経路探索ステップと、
前記車両の動力電池の蓄電力量を算出する蓄電力量算出ステップと、
前記蓄電力量によって前記経路から到達が可能な位置に存在する、前記動力電池が充電可能な充電スタンドを検出する充電スタンド検出ステップと、
前記経路を示す経路情報と前記充電スタンドを示す受電スタンド情報を出力する出力スッテプとを備えたことを特徴とした情報提供方法。
【請求項９】
コンピュータを、
車両の現在地を取得する現在地取得部と、
目的地を受け付ける目的地受付部と、
地図データを用いて、前記現在地から前記目的地までの経路を探索する経路探索部と、
前記車両の動力電池の蓄電力量を算出する蓄電力量算出部と、
前記蓄電力量によって前記経路から到達が可能な位置に存在する、前記動力電池が充電可能な充電スタンドを検出する充電スタンド検出部と、
前記経路を示す経路情報及び前記充電スタンドを示す充電スタンド情報を出力する出力ステップとを備えたことを特徴としたプログラム。
【手続補正２】
【補正対象書類名】明細書
【補正対象項目名】００２２
【補正方法】変更
【補正の内容】
【００２２】
以下、車載装置等の実施の形態について図面を参照して説明する。なお、実施の形態において同じ符号を付した構成要素は同様の動作を行うので、再度の説明を省略する場合がある。
【手続補正３】
【補正対象書類名】明細書
【補正対象項目名】００４５
【補正方法】変更
【補正の内容】
【００４５】
ＰＯＩ情報格納部１１２には、１または２以上のＰＯＩ情報が格納される。ＰＯＩ情報とは、ＰＯＩに関する情報である。本実施の形態でいうＰＯＩ(Point of Interest)とは、地図上の地点またはその地点に存在する物である。ＰＯＩは、例えば、ユーザの興味の対象であってもよいし、目的地または目標物となり得る対象であるといっても構わない。ＰＯＩは、例えば、場所、店舗、施設等であるが、地図上に示し得るものであれば何でもよい。充電スタンドも、ＰＯＩの一種である。
【手続補正４】
【補正対象書類名】明細書
【補正対象項目名】００５３
【補正方法】変更
【補正の内容】
【００５３】
なお、当該車載装置１のユーザの履歴を用いる場合、例えば、格納部１１に、ＰＯＩ識別子と履歴との対の集合が格納されており、処理部１３は、受付部１２がＰＯＩ識別子と対にして滞在時間情報を受け付けたことに応じて、当該ＰＯＩ識別子と対になる履歴を更新する一方、ＰＯＩ情報検出部１３５がＰＯＩ情報を検出したことに応じて、当該ＰＯＩ識別子と対になる履歴を用いて、例えば、各回の滞在時間の合計を滞在回数で除算することにより、滞在時間を取得してもよい。
【手続補正５】
【補正対象書類名】明細書
【補正対象項目名】００５４
【補正方法】変更
【補正の内容】
【００５４】
また、２以上のユーザの履歴を用いる場合、例えば、サーバ２が、ＰＯＩ識別子と、当該ＰＯＩ識別子で識別されるＰＯＩから提供された１または２以上の履歴との組の集合を保持しており、車載装置１において、ＰＯＩ情報検出部１３５がＰＯＩ情報を検出したことに応じて、送信部１５が当該ＰＯＩ情報に含まれるＰＯＩ識別子をサーバ２に送信し、サーバ２は、当該ＰＯＩ識別子と対になる１または２以上の履歴を用いて、例えば、各履歴の各回の滞在時間の合計を、各履歴の滞在回数の合計で除算することにより滞在時間情報を取得し、取得した滞在時間情報を当該ＰＯＩ識別子と対にして、車載装置１に送信してもよい。そして、車載装置１を構成する受信部１６が、上記滞在時間情報をＰＯＩ識別子と対にして受信し、処理部１３は、受信された滞在時間情報を、ＰＯＩ情報格納部１１２に格納されている１または２以上のＰＯＩ情報のうち、当該ＰＯＩ識別子を有するＰＯＩ情報に対応付けて蓄積することは好適である。ただし、スタンドアロンの車載装置の場合は、通常、当該車載装置のユーザの履歴のみを用いて、滞在時間情報を取得することはいうまでもない。
【手続補正６】
【補正対象書類名】明細書
【補正対象項目名】０１９５
【補正方法】変更
【補正の内容】
【０１９５】
図４は、出力画面の一例を示す図である。この画面は、途中充電が必要な場合に出力される画面である。この画面は、経路情報に対応する経路４０１と、現在地情報に対応する矢印４０２と、ＰＯＩ情報５に対応するＹＹ充電スタンドのアイコン４０３と、ＰＯＩ情報３に対応する喫茶ａａのアイコン４０４と、ＰＯＩ情報６に対応するＺＺ充電スタンドのアイコン４０５と、ＰＯＩ情報４に対応するｂｂシネマのアイコン４０６とを有する。アイコン４０３には、ＰＯＩ種類識別子"充電スタンド"に対応する文字列"ＥＶ"と、充電種類識別子"急速充電"に対応する文字列"ｑｕｉｃｋ"とが対応付いている。アイコン４０５には、ＰＯＩ種類識別子"充電スタンド"に対応する文字列"ＥＶ"と、充電種類識別子"普通充電"に対応する文字列"ｎｏｒｍａｌ"とが対応付いている。なお、経路４０１には、一地点Ｐ１から分岐してアイコン４０３に向かう枝路４０１ａと、他の一地点Ｐ２から分岐してアイコン４０５に向かう枝路４０１ｂとが付加されていてもよい。
【手続補正７】
【補正対象書類名】明細書
【補正対象項目名】０２１４
【補正方法】変更
【補正の内容】
【０２１４】
コンピュータシステム９００に、車載装置１等の機能を実行させるプログラムは、例えば、メモリカード９２０に記憶されて、メモリカードスロット９１７に挿入され、ストレージ９１４に転送されてもよい。これに代えて、そのプログラムは、ネットワーク等を介してコンピュータシステム９００に送信され、ストレージ９１４に記憶されてもよい。プログラムは、実行の際にＲＡＭ９１３にロードされる。なお、プログラムは、メモリカード９２０、またはネットワーク等から直接、ロードされてもよい。また、メモリカード９２０に代えて他の着脱可能な記録媒体（例えば、ＤＶＤやＣＤ等のディスク）を介して、プログラムがコンピュータシステム９００に読み込まれてもよい。